(57)【要約】【課題】射出工程を実行するときに駆動されるボールネジ軸への駆動伝達を確実に行えるようにした射出成形機を提供する。【解決手段】回転自在に設けられたボールネジ軸８と該ボールネジ軸に螺合されたナット体９とからなるボールネジ機構１０と、ボールネジ軸８を支持するベアリング１２と、該ベアリング１２が装着され、射出工程を行うときにボールネジ軸８が回転されるのに従い前進される進退自在なプッシャープレート７と、を備えた射出成形機であって、ボールネジ軸８の外周に嵌合されると共に、該ボールネジ軸８とベアリング１２との間に配置された筒状のスリーブ１３と、ボールネジ軸８に螺合され、ボールネジ軸８の外周に嵌合されたスリーブ１３の抜け止めを行うロックナット１４と、スリーブ１３に装着されたプーリ１５と、を備える。【選択図】図１
2015039815.tif 000002
【特許請求の範囲】
【請求項１】
回転自在に設けられたボールネジ軸と該ボールネジ軸に螺合されたナット体とからなるボールネジ機構と、
前記ボールネジ軸を支持する軸受と、
該軸受が装着され、射出工程を行うときに前記ボールネジ軸が回転されるのに従い前進される進退自在なプッシャープレートと、を備えた射出成形機であって、
前記ボールネジ軸の外周に嵌合されると共に、該ボールネジ軸と前記軸受との間に配置された筒状のスリーブと、
前記ボールネジ軸に螺合され、前記ボールネジ軸の外周に嵌合された前記スリーブの抜け止めを行うロックナットと、
前記スリーブに装着されたプーリと、を備えたことを特徴とする射出成形機。
【請求項２】
前記ボールネジ軸と前記プーリとの間に設けた楔と、回転することにより前記楔を前記ボールネジ軸に押し付け、該ボールネジ軸に対し前記プーリを固着する螺子と、からなる固定手段を備えたことを特徴とする請求項１に記載の射出成形機。
【請求項３】
前記プッシャープレートは、その下方に設けられたガイドレールに係合され、進退自在に支持されていることを特徴とする請求項１又は２に記載の射出成形機。
【発明の詳細な説明】
【技術分野】
【０００１】
本発明は、加熱シリンダで溶融された熱可塑性樹脂を、射出ノズルから型閉された金型のキャビティに射出する射出成形機に関し、特に射出ノズルから熱可塑性樹脂を射出するため、ボールネジ軸に螺合されたナット体を動作させるとき、当該ナット体を動作するための駆動の伝達を確実に行えるようにした射出成形機に関する。
【背景技術】
【０００２】
従来の一般的な射出成形機においては、ボールネジ軸とナット体からなる回転運動を直線運度に変換するボールネジ機構等が備えられており、モータの駆動によりボールネジ軸が回転されると、それに伴いナット体が前進又は後退され、ナット体の前進動作に従って、ボールネジ軸が前進されると、それに伴い加熱シリンダ内に設けられたスクリューが前進され、加熱シリンダ先端に装着された射出ノズルから、型閉された金型のキャビティに、加熱シリンダ内で溶融された熱可塑性樹脂が射出充填される。こうした技術に係るものとして、例えば特許文献１には、ボールねじ軸の後端側に位置するシャフト部を、該シャフト部に固着された円筒支持体を介し、プッシャープレートに固着された第１軸受により支持し、プッシャープレートに一体的に設けられた加熱筒内のスクリューを前進させることで射出工程を行う射出成形機が開示されている。また、特許文献２には、フロントプレートとプッシャープレートとを備えた２プレート方式の射出装置において、ベアリング、スリーブを介して、フロントプレートにボールネジの前端部を取り付けると共に、当該ボールネジの後部をプッシャープレートに設けたボールナットに螺合し、射出用モータによりボールネジを回動させることにより、プッシャープレートを前進させ射出工程を行うことが開示されている。
【先行技術文献】
【特許文献】
【０００３】
【特許文献１】実開平５−５４２５号公報
【特許文献２】特開平２−３０７７１４号公報
【発明の概要】
【発明が解決しようとする課題】
【０００４】
ボールネジ軸と該ボールネジ軸に螺合されたナット体からなるボールネジ機構により、回転運動を直線運動に変換して、スクリューを前進させる公知の射出成形機においては、例えば特許文献１に示すように、ボールネジ軸と軸受との間にスリーブと称される円筒支持体を配設したものが知られており、当該円筒支持体はボールネジ軸に嵌合されるなどして固着されるのだが、固着された円筒支持体が何らかの要因により緩んだりすると、ボールネジ軸に対する駆動の伝達に悪影響を及ぼすことになることから、駆動力の伝達される円筒支持体等の部品が緩むことがないよう確実に締結することが求められる。
【０００５】
本発明は、上記課題に鑑みてなされたものであり、射出工程を実行するときに駆動されるボールネジ軸への駆動伝達を確実に行えるようにした射出成形機を提供することを目的とする。
【課題を解決するための手段】
【０００６】
本射出成形機の発明は、
回転自在に設けられたボールネジ軸と該ボールネジ軸に螺合されたナット体とからなるボールネジ機構と、
前記ボールネジ軸を支持する軸受と、
該軸受が装着され、射出工程を行うときに前記ボールネジ軸が回転されるのに従い前進される進退自在なプッシャープレートと、を備えた射出成形機であって、
前記ボールネジ軸の外周に嵌合されると共に、該ボールネジ軸と前記軸受との間に配置された筒状のスリーブと、
前記ボールネジ軸に螺合され、前記ボールネジ軸の外周に嵌合された前記スリーブの抜け止めを行うロックナットと、
前記スリーブに装着されたプーリと、を備えたことを特徴とする。
【０００７】
本射出成形機の発明は、
前記ボールネジ軸と前記プーリとの間に設けた楔と、回転することにより前記楔を前記ボールネジ軸に押し付け、該ボールネジ軸に対し前記プーリを固着する螺子と、からなる固定手段を備えたことを特徴とする。
【０００８】
本射出成形機の発明は、
前記プッシャープレートは、その下方に設けられたガイドレールに係合され、進退自在に支持されていることを特徴とする。
【発明の効果】
【０００９】
本発明によれば、ボールネジ軸に螺合したロックナットにより、ボールネジ軸の外周に嵌合されたスリーブが抜けてしまわぬよう固定し、スリーブとボールネジ軸とを一体に固定した状態で、スリーブに対しプーリを装着することにより、ボールネジに対しプーリを固定する。これにより、例えばスペースや強度上の問題で、ボールネジ軸に駆動力を伝達するプーリを、スリーブを介してボールネジ軸に固定しなければならないような制約的な状況が生じても、プーリの駆動力をボールネジ軸に確実に伝達することが可能となる。
【００１０】
さらに、楔と螺子とからなる固定手段により、ボールネジ軸に対しプーリを固着することから、ボールネジ軸へのプーリの固定は、スリーブを介しての固定と、前記固定手段による固定との、それぞれ異なる２つの手段により固定されることから、射出工程を実行するときに動作されるボールネジ軸への駆動の伝達を確実に行うことが可能となる。
【００１１】
さらに、プッシャープレートはガイドレールに係合されていることから、プッシャープレートが進退移動されるときに、軌道のずれ防止に加え防振性を向上することが可能となり、固定された部品の緩みを防止することができる。
【図面の簡単な説明】
【００１２】
【図１】本発明の射出成形機に構成される射出ユニットを側方から視た状態を示す断面図である。
【図２】本発明の射出成形機に構成される射出ユニットを上方から視た状態を示す断面図である。
【図３】射出ユニットの要部を示す拡大断面図である。
【発明を実施するための形態】
【００１３】
以下、本発明の実施形態を図１〜図３により以下に説明する。もちろん、本発明は、その発明の趣旨に反しない範囲で、実施形態において説明した以外の構成のものに対しても容易に適用可能なことは説明を要するまでもない。
【００１４】
本発明の一例の射出成形機は、粒状の熱可塑性樹脂としてのペレットを原料として成形体を製造するものであり、射出成形機には機台１を備え、機台１上には、型閉された金型のキャビティへ熱可塑性樹脂を射出充填する射出ユニット２と、型開閉を行う型締ユニット（図示せず）とを備えるものである。
【００１５】
図１及び図２に示すように、射出ユニット１には、筒型の加熱シリンダ３、加熱シリンダ３の先端に設けた射出ノズル４、加熱シリンダ３内に設けられ当該加熱シリンダ３内に供給された熱可塑性樹脂を混練するスクリュー５、加熱シリンダ３を支持する加熱シリンダ取付ブラケット６、スクリュー５を回転自在に支持すると共に前記加熱シリンダ取付ブラケット６に対して進退移動する、加熱シリンダ取付ブラケット６の後方に設けられたプッシャープレート７、該プッシャープレート７と加熱シリンダ取付ブラケット６とに回転自在に支持されたボールネジ軸８と、該ボールネジ軸８に螺合され前記加熱シリンダ取付ブラケット６に固定されたナット体９とからなるボールネジ機構１０、加熱シリンダ取付ブラケット６及びプッシャープレート７の下方の機台１上に固定され、プッシャープレート７を進退自在に支持するガイドレール１１、加熱シリンダ３内で溶融された樹脂を金型のキャビティに射出するときに、ボールネジ軸８の回転駆動により、プッシャープレート７と共にスクリュー５を前進させ射出工程を行う駆動源としての射出用モータ１９等が構成されている。
【００１６】
また、ボールネジ機構１０のナット体９は加熱シリンダ取付ブラケット６に対し一体に設けられており、また、射出用モータ１９はプッシャープレート７に一体に設けられている。
【００１７】
プッシャープレート７には、ボールネジ軸８を回転自在に支持する軸受たるベアリング１２が装着されており、ベアリング１２とボールネジ軸８との間に配置された円筒体たるスリーブ１３は、ボールネジ軸１０の外周に嵌合され、当該ボールネジ軸１０からスリーブ１３が離脱しないよう、ボールネジ軸１０の端部側に螺合されたロックナット１４で抜け止めされている。
【００１８】
また、スリーブ１３の一方端には鍔部１３Ａが形成されており、該鍔部１３Ａには射出用モータを駆動源として回転されるプーリ１５が固定手段たる固定ボルト１６によりボルト止めされている。
【００１９】
また、プーリ１５とボールネジ軸８との間には楔１７と螺子１８とからなる固定手段が設けられており、該楔１７は、螺子１８を回転させることによりボールネジ軸８に押し付けられ、それにより、当該ボールネジ軸８に対しプーリ１５が固着されている。
【００２０】
以上のような射出成型機によれば、回転自在に設けられたボールネジ軸８と該ボールネジ軸８に螺合され前記加熱シリンダ取付ブラケット６に固定されたナット体９とからなるボールネジ機構１０と、ボールネジ軸８を支持する軸受たるベアリング１２と、該ベアリング１２が装着され、射出工程を行うときに前記ボールネジ軸８が回転されるのに従い前進される進退自在なプッシャープレート７と、を備えた射出成形機であって、ボールネジ軸８の外周に嵌合されると共に、該ボールネジ軸８と前記ベアリング１２との間に配置された筒状のスリーブ１３と、ボールネジ軸８に螺合され、前記ボールネジ軸８の外周に嵌合された前記スリーブ１３の抜け止めを行うロックナット１４と、スリーブ１３に装着されたプーリ１５と、プーリ１５を回転駆動する駆動源としての射出用モータと、を備える。すなわち、ボールネジ軸８に螺合したロックナット１４により、ボールネジ軸８の外周に嵌合されたスリーブ１３が抜けてしまわぬよう固定し、スリーブ１３とボールネジ軸８とを一体に固定した状態で、スリーブ１３に対しプーリ１５を装着することにより、ボールネジに対しプーリ１５を間接的に固定する。これにより、例えばスペースや強度上の問題で、ボールネジ軸８に駆動力を伝達するプーリ１５を、スリーブ１３を介してボールネジ軸８に固定しなければならないような制約的な状況が生じても、射出用モータ１９から伝達されたプーリ１５の駆動力をボールネジ軸８に確実に伝達することが可能となる。
【００２１】
さらに、楔１７と螺子１８とからなる固定手段により、ボールネジ軸８に対しプーリ１５を固着することから、ボールネジ軸８へのプーリ１５の固定は、スリーブ１３を介しての固定と、楔１７と螺子１８とからなる固定手段による固定との、それぞれ異なる２つの手段により固定されることから、射出工程を実行するときに動作されるボールネジ軸８への駆動の伝達を確実に行うことが可能となる。
【００２２】
さらに、プッシャープレート７はガイドレール１１に係合されていることから、プッシャープレート７が進退移動されるときに、軌道のずれ防止に加え防振性を向上することが可能となり、駆動力の伝達のため固定等されている部品の緩みを防止することができる。
【符号の説明】
【００２３】
１  機台
２  射出ユニット
３  加熱シリンダ
４  射出ノズル
５  スクリュー
６  加熱シリンダ取付ブラケット
７  プッシャープレート
８  ボールネジ軸
９  ナット体
１０  ボールネジ機構
１１  ガイドレール
１２  ベアリング（軸受）
１３  スリーブ
１３Ａ  鍔部
１４  ロックナット
１５  プーリ
１６  固定ボルト
１７  楔
１８  螺子
１９  射出用モータ
【図１】
2015039815.tif 000003
【図２】
2015039815.tif 000004
【図３】
2015039815.tif 000005